(57)【要約】      （修正有）【課題】持ち運びの際に嵩張ることがないとともに、使用者において組み立てを可能にして面白みを増したフレームキットを提供する。【解決手段】複数のフレーム材に分解可能な枠体２と、枠体２内に支持される、筒状に変形自在とした透明体３及び裏板４と、分解した枠体２と変形させた透明体３及び裏板４を収容する収容手段５を具備し、枠体２は、それぞれが長尺状の本体部と本体部の両端部に同一方向へ向けて連設した連結部とで構成された上部フレーム材６ａ及び下部フレーム材６ｂと、連結手段によって、上部フレーム材６ａにおける一対の連結部のそれぞれの先端部にそれぞれの一端部が着脱自在に連結されるとともに下部フレーム材６ｂにおける一対の連結部の先端部のそれぞれにそれぞれの他端部が着脱自在に連結される一対の側部フレーム材７と、を有している。【選択図】図１
0003120477.tif 000002
【実用新案登録請求の範囲】
【請求項１】
略四角形状に枠組みされるとともに、その内周側全域に挿入溝（２０１）が形成された、複数のフレーム材に分解可能な枠体（２）と、
周縁部が前記挿入溝（２０１）内に挿入される配置で前記枠体（２）内に支持される、筒状に変形自在又は折り畳み自在とした透明体（３）と、
該透明体（３）の裏面側に重ね合わされる配置でかつ周縁部が前記挿入溝（２０１）内に挿入される配置で前記枠体（２）内に支持される、筒状に変形自在又は折り畳み自在とした裏板（４）と、を具備するフレームキットであって、
前記枠体（２）は、
それぞれが長尺状の本体部（６０１ａ、６０１ｂ）と該本体部（６０１ａ、６０１ｂ）の両端部に同一方向へ向けて連設した連結部（６０２ａ、６０２ｂ）とで構成された上部フレーム材（６ａ）及び下部フレーム材（６ｂ）と、
前記上部フレーム材（６ａ）における一対の連結部（６０２ａ）のそれぞれの先端部にそれぞれの一端部が着脱自在に連結されるとともに下部フレーム材（６ｂ）における一対の連結部（６０２ｂ）の先端部のそれぞれにそれぞれの他端部が着脱自在に連結される一対の側部フレーム材（７）と、
前記上部フレーム材（６ａ）及び下部フレーム材（６ｂ）に前記側部フレーム材（７）を連結させて上部フレーム材（６ａ）、下部フレーム材（６ｂ）及び側部フレーム材（７）によって略四角形状に枠組みされた枠体（２）を形成するための連結手段（８）と、を有するとともに、
前記連結手段（８）は、前記挿入溝（２０１）内に挿入される連結部本体（９）と、該連結部本体（９）に変形及び復元自在に備えた一対の係止片部（１０）と、を有し、
前記連結部（６０２ａ、６０２ｂ）の先端部及び側部フレーム（７）の両端部にそれぞれ、前記係止片部（１０）が変形しつつ通過可能なガイド溝（６０３）と、該ガイド溝（６０３）の奥部に連設した、変形した前記係止片部（１０）が復元しつつ嵌合可能な嵌合溝（６０４）と、を形成した、ことを特徴とするフレーム。
【請求項２】
略四角形状に枠組みされるとともに、その内周側全域に挿入溝（２０１）が形成された、複数のフレーム材に分解可能な枠体（２）と、
周縁部が前記挿入溝（２０１）内に挿入される配置で前記枠体（２）内に支持される、筒状に変形自在又は折り畳み自在とした透明体（３）と、
該透明体（３）の裏面側に重ね合わされる配置でかつ周縁部が前記挿入溝（２０１）内に挿入される配置で前記枠体（２）内に支持される、筒状に変形自在又は折り畳み自在とした裏板（４）と、
複数のフレーム材に分解した前記枠体（２）と筒状に変形させた又は折り畳んだ透明体（３）と筒状に変形自在させた又は折り畳んだ裏板（４）とを収容可能な収容手段（５）と、を具備するフレームキットであって、
前記枠体（２）は、
それぞれが長尺状の本体部（６０１ａ、６０１ｂ）と該本体部（６０１ａ、６０１ｂ）の両端部に同一方向へ向けて連設した連結部（６０２ａ、６０２ｂ）とで構成された上部フレーム材（６ａ）及び下部フレーム材（６ｂ）と、
前記上部フレーム材（６ａ）における一対の連結部（６０２ａ）のそれぞれの先端部にそれぞれの一端部が着脱自在に連結されるとともに下部フレーム材（６ｂ）における一対の連結部（６０２ｂ）の先端部のそれぞれにそれぞれの他端部が着脱自在に連結される一対の側部フレーム材（７）と、
前記上部フレーム材（６ａ）及び下部フレーム材（６ｂ）に前記側部フレーム材（７）を連結させて上部フレーム材（６ａ）、下部フレーム材（６ｂ）及び側部フレーム材（７）によって略四角形状に枠組みされた枠体（２）を形成するための連結手段（８）と、を有するとともに、
前記連結手段（８）は、前記挿入溝（２０１）内に挿入される連結部本体（９）と、該連結部本体（９）に変形及び復元自在に備えた一対の係止片部（１０）と、を有し、
前記連結部（６０２ａ、６０２ｂ）の先端部及び側部フレーム（７）の両端部にそれぞれ、前記係止片部（１０）が変形しつつ通過可能なガイド溝（６０３）と、該ガイド溝（６０３）の奥部に連設した、変形した前記係止片部（１０）が復元しつつ嵌合可能な嵌合溝（６０４）と、を形成した、ことを特徴とするフレーム。
【考案の詳細な説明】
【技術分野】
【０００１】
本考案はフレームキットに係り、より詳しくは、組み立て及び分解自在にするとともに、分解した際にはコンパクトにまとめることを可能としたフレームキットに関する。
【背景技術】
【０００２】
一般的に、写真、絵画等を壁等に飾る場合に用いるフレームは、四角形状に枠組みすることにより構成された枠体と、この枠体の内周側に支持されるとともに、写真、絵画等を挟み込んで支持することが可能な透明体および裏板を備えており、透明体と裏板の間に写真、絵画等を挟み込むことにより、フレームに写真、絵画等を支持し、その後このフレームを壁等に掛けることにより、写真、絵画等を所望する箇所に飾ることを可能としている。
【０００３】
そして、この従来から一般的に提供されているフレームでは、枠体の内周側に透明体及び裏板を装着した状態で提供されており、そのため、全体が大きくなってしまい、販売店で購入して自宅等へ持ち帰る際に嵩張ってしまうという問題点がある。
【０００４】
また、従来から提供されているフレームでは、完成された状態で提供されているために、使用者は、単に透明体と裏板との間に写真、絵画等を挟み込む作業のみしかできず、面白みに欠けるものであった。
【考案の開示】
【考案が解決しようとする課題】
【０００５】
そこで、本考案は、持ち運びの際に嵩張ることがないとともに、分解及び組み立て自在にすることにより使用者において組み立てを可能にして、これにより面白みを増したフレームキットを提供することを課題としている。
【課題を解決するための手段】
【０００６】
請求項１に記載の本考案のフレームキットは、
略四角形状に枠組みされるとともに、その内周側全域に挿入溝が形成された、複数のフレーム材に分解可能な枠体と、
周縁部が前記挿入溝内に挿入される配置で前記枠体内に支持される、筒状に変形自在又は折り畳み自在とした透明体と、
該透明体の裏面側に重ね合わされる配置でかつ周縁部が前記挿入溝内に挿入される配置で前記枠体内に支持される、筒状に変形自在又は折り畳み自在とした裏板と、を具備するフレームであって、
前記枠体は、
それぞれが長尺状の本体部と該本体部の両端部に同一方向へ向けて連設した一対の連結部とで構成された上部フレーム材及び下部フレーム材と、
前記上部フレーム材における一対の連結部のそれぞれの先端部にそれぞれの一端部が着脱自在に連結されるとともに下部フレーム材における一対の連結部の先端部のそれぞれにそれぞれの他端部が着脱自在に連結される一対の側部フレーム材と、
前記上部フレーム材及び下部フレーム材に前記側部フレーム材を連結させて上部フレーム材、下部フレーム材及び側部フレーム材によって略四角形状に枠組みされたフレームを形成するための連結手段と、を有するとともに、
前記連結手段は、前記挿入溝内に挿入される連結部本体と、該連結部本体に変形及び復元自在に備えた一対の係止片部と、を有し、
前記連結部の先端部及び側部フレームの両端部にそれぞれ、前記係止片部が変形しつつ通過可能なガイド溝と、該ガイド溝の奥部に連設した、変形した前記係止片部が復元しつつ嵌合可能な嵌合溝と、を形成した、ことを特徴としている。
【０００７】
また、請求項２に記載の本考案のフレームキットは、請求項１に記載の本考案のフレームキットに、更に、複数のフレーム材に分解した前記枠体と、筒状に変形させた又は折り畳んだ透明体と、筒状に変形させた又は折り畳んだ裏板と、を収容可能な収容手段を備えたことを特徴としている。
【考案の効果】
【０００８】
本考案のフレームキットでは、略四角形状に枠組みされた枠体を分解可能にするとともに、透明体及び裏板を、筒状に変形自在又は折り畳み自在としているため、枠体を分解するとともに透明体及び裏板を筒状に変形させ又は折り畳み、これにより全体をコンパクトにまとめることで、持ち運びに際して嵩張ることが無くなる。
【０００９】
また、例えば、自宅等に持ち帰った後に、枠体を枠組みするとともにこの枠体の内周側に透明体及び裏板を係止してフレームを組み立てる楽しみもでき、面白みを増すこともできる。
【考案を実施するための最良の形態】
【００１０】
本考案のフレームキットでは、略四角形状に枠組みされるとともに、その内周側全域に挿入溝が形成された枠体を有しており、この枠体は、複数のフレーム材に分解可能としている。
【００１１】
また、本考案のフレームキットでは、その周縁部が枠体の挿入溝内に挿入される配置で前記枠体内に支持される透明体と、この透明体の裏面側に重ね合わされる配置で、かつ、その周縁部が枠体の挿入溝内に挿入される配置で前記枠体内に支持される裏板を有しており、透明体及び裏板はともに、筒状に変形自在又は折り畳み自在とし、これにより、例えば透明体及び裏板を筒状に丸めることによりコンパクトにすることを可能としている。
【００１２】
そして、前記枠体は、上部フレーム材、下部フレーム材、この上部フレーム材と下部フレーム材を連通する一対の側部フレーム材、及び上部フレーム材及び下部フレーム材に側部フレーム材を連結させて上部フレーム材、下部フレーム材及び側部フレーム材によって略四角形状に枠組みされたフレームを形成するための連結手段とにより構成されている。
【００１３】
即ち、上部フレーム材及び下部フレーム材はそれぞれ、長尺状の本体部と、この本体部の両端部に同一方向へ向けて連設した一対の連結部とで構成され、一対の側部フレーム材は、それぞれ長尺状に構成するとともに、連結手段によって、それぞれ、その一端が上部フレーム材における連結部の先端部に連結されるとともに他端が下部フレーム材における連結部の先端部に連結され、これにより、上部フレーム材、下部フレーム材及び側部フレーム材によって、四角形状に枠組みされた枠体を構成可能としている。
【００１４】
また、連結手段は、枠体の挿入溝内に挿入される連結部本体から構成されており、この連結部本体には、一対の係止片部が、変形及び復元自在に備えられている。
【００１５】
更に、連結部の先端部、及び、側部フレームの両端部にはそれぞれ、連結手段の係止片部が変形しつつ通過可能なガイド溝を有しており、このガイド溝の奥部には、ガイド溝に連続して、変形した係止片部が復元しつつ嵌合可能な嵌合溝が形成されている。
【００１６】
そして、これにより、連結部の先端部のそれぞれ及び側部フレームのそれぞれの一端部における挿入溝内に、係止片部のそれぞれがガイド溝内に入り込むようにして連結手段の右半分及び左半分を挿入させつつ、連結部の先端部及び側部フレームの一端部に形成した嵌合溝内に連結手段の係止片部を嵌合させると、略四角形状に枠組みした枠体を完成することができる。
【００１７】
また、本考案のフレームキットでは長箱状あるいは円筒状の収容手段を備えており、この収容手段内には、複数のフレーム材に分解した前記枠体、筒状に変形させた又は折り畳んだ透明体及び裏板、更に連結手段を収容可能としており、これにより、全体をコンパクトにまとめて嵩張りを無くするとともに持ち運びを容易にしている。
【実施例１】
【００１８】
本考案のフレームキットの実施例について図面を参照して説明すると、図１は本実施例のフレームキットの実施例を分解した状態の正面図であり、本実施例のフレームキットは、分解可能としたフレーム１と、分解した状態のフレーム１を収容するための収容手段５で構成されている。
【００１９】
そして、前記フレーム１は、略四角形状に枠組みした枠体２と、この枠体２内周側に支持される透明体３と、この透明体３裏面側に重ね合わされる配置で前枠体２の内周側に支持される裏板４とを備えており、一方、収容手段５は、収容手段本体５０１と蓋５０２とを備えており、本実施例において前記収容手段５は、有底円筒状の収容手段本体５０１と蓋５０２とで構成されるチューブ状の形態としている。
【００２０】
また、前記透明体３はビニール等の透明素材で形成するとともに、円筒状にまるめ、あるいは小さく折り畳むことを可能としている。
【００２１】
更に、前記裏板４は、透明体３と同様に、円筒状に丸め、あるいは小さく折り畳むことを可能な素材により形成している。
【００２２】
次に、図２は前記枠体２を分解した状態の平面図であり、また図３は図２におけるＡ−Ａ線端面図であり、本実施例において前記枠体２は、上部フレーム材６ａ、下部フレーム材６ｂ、および一対の側部フレーム材７から構成され、図４乃至図７に示す連結手段８を介し、分解及び組み立て可能としている。
【００２３】
即ち、図２において６ａが上部フレーム材、６ｂが下部フレーム材であり、この上部フレーム材６ａ及び下部フレーム材６ｂはそれぞれ、長尺の本体部６０１ａ、６０１ｂと、この本体部６０１ａ、６０１ｂの両端に同一方向へ連設した連結部６０２ａ、６０２ｂとで構成され、従って、連結部６０２ａ、６０２ｂを一対個有している。
【００２４】
また、図２において７は側部フレーム材であり、この側部フレーム材７は、長尺状であるとともに一対個としており、この側部フレーム材７のそれぞれは、その一端が前記上部フレーム材６ａにおける連結部６０２ａのそれぞれの先端に連結され、他端は下部フレーム材６ｂにおける連結部６０２ｂのそれぞれの先端に連結され、これにより、上部フレーム材６ａ、下部フレーム材６ｂ、および一対の側部フレーム材７により略四角形状とした枠体２を形成可能としている。
【００２５】
また、前記上部フレーム材６ａ、下部フレーム材６ｂ、及び一対の側部フレーム材７はそれぞれ、図３からも明らかなように、長手方向に向いた断面形状を略コ字状としており、開放した側が内側になるようにして枠組みすることにより、枠体２の内周側全域に挿入溝２０１を形成可能としている。
【００２６】
従って、開放した側が内側になるようにして、上部フレーム材６ａ、下部フレーム材６ｂ、及び一対の側部フレーム材７を略四角形状に枠組みし、挿入溝２０１内に周縁部が挿入されるような配置で透明体３及び裏板４を配設することにより、透明体３及び裏板４を、枠体２の内周側に支持することが可能である。
【００２７】
なお、図３において６０５はガイド壁部である。即ち、本実施例において前記上部フレーム材６ａ、下部フレーム材６ｂ、及び一対の側部フレーム材７のそれぞれは、開放した側に対向する側の底部に、上方に向けて、長手方向に沿ってガイド壁部６０５を突出しており、これにより、開放した側に対向する側の壁部とガイド壁部６０５との間をガイド部６０６としている。
【００２８】
次に、上部フレーム材６ａ及び下部フレーム材６ｂと、側部フレーム材７との連結の方法について説明すると、図４において８は、上部フレーム材６ａと側部フレーム材７、及び下部フレーム材６ｂと側部フレーム材７とを連結するために用いる連結手段であり、図５はこの連結手段の正面図、図６は連結手段８の平面図、及び図７（Ａ）は連結手段８の背面図、図７（Ｂ）は連結手段８の側面図である。また、図４において６０２ａは、前記上部フレーム材６ａにおける連結部の先端部である。即ち、以下においては、一例として、上部フレーム材６ａにおける連結部６０２ａと側部フレーム材７の一端部との連結を説明するが、下部フレーム材６ｂにおける連結部６０２ａと側部フレーム材７の他端部との連結も同様の方法による。
【００２９】
即ち、前記連結手段８は、全体を樹脂により構成しており、挿入溝２０１内に挿入可能な外形寸法とした連結手段本体９から構成されている。そして、この連結手段本体９は、長板状の上壁部９０１と、この上壁部９０１における長手方向に沿った一端から下方に約９０度の角度で連設した側壁部９０２とにより構成されており、即ち、１８０度回転させたＬ字状の側面形状としており、長手方向に向いて中央部を境にして、右半分あるいは左半分を連結部６０２ａの挿入溝２０１内に挿入し、他方の半分を側部フレーム材７の一端部の挿入溝２０１内に挿入して使用される。
【００３０】
また、前記側壁部９０２の下端部には、長手方向に沿って切り欠き９０４を形成しており、連結手段８を挿入溝２０１内に挿入した際に、切り欠き９０４が前記ガイド壁部６０５上に載置されるとともに、前記側壁部９０２の下端部９０６がガイド６０６内に嵌合可能としている。
【００３１】
次に、前記上壁部９０１には、長手方向に向いた中央部近傍及び両端部近傍以外の箇所に、長手方向に向いた中央部近傍を境にした左右側に一対の開口部９０３が形成されており、この開口部９０３のそれぞれ内に位置するように、係止片部１０が変形及び復元自在に備えられている。
【００３２】
ここで、前記係止片部１０について説明すると、本実施例において前記係止片部１０は、アーム部１００１と、このアーム部１００１の先端部に、上側に向けて、上壁部９０１よりも上方に突出するようにして突設した嵌合片１００２とにより構成されており、前記アーム部１００１の基端部を上壁部９０１における中央部分に左右方向に向けて連設しており、これにより、係止片部１０は、前記アーム部１００１と上壁部９０１との連結部分を起点として、連結手段８の長手方向に直交する方向に向けて変形可能とされている。即ち、係止片部１０は、連結手段８の長手方向に直交する方向に向けて力を加えられることにより変形し、この加えている力を無くすると元の位置に復元するようにしている。
【００３３】
従って、前記開口部９０３は、係止片部１０が十分に変形可能な開口にする必要があり、本実施例では、両端に行くに従って開口面積が広がるような形態の開口部９０３としている。但し、開口部の形状は特に限定されず、係止片部１０が十分に変形可能であればよい。
【００３４】
なお、図７において９０５は補強用のリブである。即ち、本実施例における前記連結手段８では、側壁部９０２の背面側に、側壁部９０２の高さ方向に沿って補強用のリブ９０５を、間隔を置いて複数本形成している。また、前述したように、前記側壁部９０２の下端部には切り欠き９０４を形成しているため、連結手段８を挿入溝２０１内に挿入した際には、切り欠き９０４が前記ガイド壁部６０５上に載置されつつ、補強用のリブ９０５の下端部と前記側壁部９０２の下端部により、前記ガイド壁部６０５を挟み込む配置となり、これにより、連結手段８を容易に挿入溝２０１内に挿入可能であるとともに、挿入溝２０１内における連結手段８の位置決めをすることが可能である。但し、補強用のリブ９０５は必ずしも必要なものではない。
【００３５】
次に、図４において、前記上部フレーム材６ａにおける連結部６０２ａの先端部には、長手方向に沿って、わずかに斜め方向に向けてガイド溝６０３が形成されている。そして、このガイド溝６０３の先端部には、ガイド溝６０３に連続して、連結部６０２ａの長手方向に直交する方向に見た場合において、ガイド溝６０３の先端部が向いている方向とは逆の方向に向けて嵌合溝６０４が形成されている。即ち、図４においては、ガイド溝６０３は連結部６０２ａにおける開放側に向けて斜め方向に形成されており、一方嵌合溝６０４は、反開放側に向けて形成されている。
【００３６】
従って、前記挿入溝２０１内に連結手段８を挿入した場合には、上壁部９０１よりも上方に突出している嵌合片１００２が、ガイド溝６０３に導かれながら変形しつつガイド溝６０３内を進んでいき、その後、ガイド溝６０３の最奥部に行き着いたときに、復元しつつ嵌合溝６０４内に嵌合し、これにより挿入溝２０１内に固定される。そのため、本実施例のフレームキット１では、特に面倒な作業を行うことなく枠体２を枠組みすることが可能であり、また、嵌合溝６０４内に嵌合している嵌合片１００２を嵌合溝６０４との嵌合を解除する方向に変形させながら連結手段８を挿入溝２０１内から引き出すことにより、容易に枠組みを解除して枠体２を分解することができる。
【００３７】
なお、側部フレーム７の両端部、及び下部フレーム材６ｂにおける連結部６０２ｂの先端部のいずれにもガイド溝６０３及び嵌合溝６０４を形成してあることは言うまでもない。
【００３８】
従って、上部フレーム材６ａにおける一対の連結部６０２ａの挿入溝内にそれぞれ連結手段８の右半分又は左半分を挿入し、連結手段８の残りの半分を一対の側部フレーム材７のそれぞれの一端部の挿入溝内に挿入し、一対の側部フレーム材７のそれぞれの他端部の挿入溝内に連結手段８の右半分又は左半分を挿入し、連結手段８の残りの半分を下部フレーム材６ｂにおける一対の連結部６０２ｂのそれぞれの挿入溝内に挿入することにより、連結手段８を介して、略四角形状の枠体２を枠組みすることが可能となる。
【００３９】
次に、このように構成される本実施例のフレームキットの作用について説明すると、前述したような手順で枠体２を略四角形状に枠組みするとともに、枠体２の挿入溝２０１内に周縁部が挿入される配置で枠体２の内周側に透明体３を支持し、更に、この透明体３の裏面に重ね合わせる配置で、かつ周縁部が前記挿入溝内に挿入される配置で前記枠体２内に裏板４を支持する。
【００４０】
そうすると、これによりフレーム１が完成し、透明体３及び裏板４間に写真、絵画等を挟み込むとともに、この写真、絵画等を挟み込んだ状態の枠体２を壁等に飾ることで、写真、絵画等を所望する箇所に飾ることが可能である。
【００４１】
一方、前述したような手順で、上部フレーム材６ａ、下部フレーム材６ｂ、及び一対の側部フレーム材７に分離して枠体２を分解し、更に、透明体３及び裏板４を筒状に丸めることでフレーム１をコンパクトにまとめることができ、更に、図８に示すように、フレーム１を構成していた部材を収容手段本体５０１内に収容した後に蓋５０２を収容手段本体５０１に装着することで、持ち運びに際して嵩張ることを防止できる。
【００４２】
このように、本実施例のフレームキットでは、分解することによりコンパクトにまとめることができるために持ち運び便利であるのみならず、組み立てる楽しみを有しており、面白みのあるフレームキットにすることが可能である。
【００４３】
なお、前述の実施例では、分解した枠体、透明体、裏板等を収容する収容手段を備えた形態としたが、この収容手段は必ずしも必要なものではなく、これを備えなくてもよい。
【産業上の利用可能性】
【００４４】
本考案のフレームキットでは、分解することでコンパクトにすることができるとともに、組み立てる楽しみを有しているため、分解可能としたフレームの全般に適用可能である。
【図面の簡単な説明】
【００４５】
【図１】本考案のフレームキットの実施例を分解した状態の正面図である。
【図２】本考案のフレームキットの実施例における枠体を分解した状態の正面図である。
【図３】図２におけるＡ−Ａ線断面図である。
【図４】上部フレーム材及び下部フレーム材と、側部フレーム材との連結方法を説明するための図である。
【図５】連結手段の正面図である。
【図６】連結手段の正面図である。
【図７】連結手段の背面図である。
【図８】収容手段によって本考案のフレームキットの実施例をコンパクトにまとめる場合を説明するための図である。
【符号の説明】
【００４６】
１    フレーム
２    枠体
３    透明体
４    裏板
５    収容手段
５０１    収容手段本体
５０２    蓋
６ａ    上部フレーム材
６ｂ    下部フレーム材
６０１ａ、６０１ｂ    本体部
６０２ａ、６０２ｂ    連結部
６０３    ガイド溝
６０４    嵌合溝
６０５    ガイド壁部
６０６    ガイド部
７    側部フレーム材
８    連結手段
９    連結手段本体
９０１    上壁部
９０２    側壁部
９０３    開口部
９０４    切り欠き
９０５    リブ
９０６    側壁部の下端部
１０    係止片部
１００１    アーム部
１００２    嵌合片
【図１】
0003120477.tif 000003
【図２】
0003120477.tif 000004
【図３】
0003120477.tif 000005
【図４】
0003120477.tif 000006
【図５】
0003120477.tif 000007
【図６】
0003120477.tif 000008
【図７】
0003120477.tif 000009
【図８】
0003120477.tif 000010